(57)【要約】【課題】蛍光ランプに貼付している無線タグによって各蛍光ランプを識別し、集合した蛍光ランプをあたかも１つの物品のように取り扱うことを可能にしてマニフェスト作成を効率的にする。【解決手段】トレーサビリテイ管理装置は、流通ルートを流通する各物品についてマニフェスト票及び在庫管理票を備え、所定の通信エリア内で通信を行った端末装置から送信されてきた集合体情報、識別情報、構成員情報および物品在庫票情報とを通信エリアの別に前記マニフェスト票および在庫管理票に登録して通信エリアごとの集合体マニフェスト票情報および在庫管理票情報とを構成してトレーサビリテイ情報として管理し、またトレーサビリテイ管理利用料情報を作成して、通信エリアの所定の端末装置から要求を受けて集合体マニフェスト票情報単独であるいは在庫管理票情報とともに、およびトレーサビリテイ管理利用料情報を通信エリアの端末装置に送信することを行う。【選択図】図１
2008186182.tif 000002
【特許請求の範囲】
【請求項１】
物流管理の対象である物品の消費ルートと廃棄処理の処分ルートからなる流通ルートに設けられ、前記消費ルートで物品に付与されている無線タグと通信可能な所定の通信エリア内で通信を行う複数の端末装置と、前記所定の端末装置に通信ネットワークを介して接続されたトレーサビリテイ管理装置とを備えた物品のトレーサビリテイ管理システムであって、
所定の端末装置は、前記流通ルートの所定の通信エリア内に配送され、実質的に同一の形状をなす物品であって、収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報および入庫と出庫情報から物品在庫情報を生成し、通信エリア情報、集合された複数の物品について一単位としての集合体情報、該集合体を形成する各物体についての前記識別情報、該物体が当該集合体の一構成員であることを示す構成員情報および物品在庫情報を前記トレーサビリテイ管理装置に送信し、
前記トレーサビリテイ管理装置は、前記流通ルートを流通する各物品についてマニフェスト票及び在庫管理票を備え、前記所定の通信エリア内で通信を行った端末装置から送信されてきた前記通信エリア情報、集合体情報、識別情報、構成員情報および物品在庫票情報とを前記通信エリアの別に前記マニフェスト票および在庫管理票に登録して通信エリアごとの集合体マニフェスト票情報および在庫管理票情報とを構成してトレーサビリテイ情報として管理し、またトレーサビリテイ管理利用料情報を作成して、前記通信エリアの所定の端末装置から要求を受けて集合体マニフェスト票情報単独であるいは在庫管理票情報とともに、およびトレーサビリテイ管理利用料情報を前記通信エリアの端末装置に送信すること
を特徴とする物品のトレーサビリテイ管理システム。
【請求項２】
物流管理の対象である物品の消費ルートと廃棄処理の処分ルートからなる流通ルートに設けられて前記消費ルートで物品に付与されている無線タグと通信可能な所定の通信エリア内で通信を行う複数の所定の端末装置に、通信ネットワークを介して接続されたトレーサビリテイ管理装置とを備えた物品のトレーサビリテイ管理システムに使用される前記トレーサビリティ管理装置であって、
前記トレーサビリテイ管理装置は、前記流通ルートの所定の通信エリア内に配送され、実質的に同一の形状をなす物品であって、収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報および入庫と出庫情報から物品在庫情報を生成し、通信エリア情報、集合された複数の部品について位置単位としての集合体情報、該集合体を形成する各物体についての前記識別情報、該物体が当該集合体の一構成員であることを示す構成員情報および物品在庫情報を前記トレーサビリテイ管理装置に送信可能な端末装置からの送信を受ける装置であり、
前記流通ルートを流通する各物品についてマニフェスト票及び在庫管理票を備え、前記所定の通信エリア内で通信を行った端末装置から送信されてきた前記通信エリア情報、集合体情報、識別情報、構成員情報および物品在庫票情報とを前記通信エリアの別に前記マニフェスト票および在庫管理票に登録して通信エリアごとの集合体マニフェスト票情報および在庫管理票情報とを構成してトレーサビリテイ情報として管理し、またトレーサビリテイ管理利用料情報を作成して、前記通信エリアの所定の端末装置からの要求を受けて集合体マニフェスト票情報単独であるいは在庫管理票情報とともに、およびトレーサビリテイ管理利用料情報を前記通信エリアの端末装置に送信すること
を特徴とする物品のトレーサビリテイ管理システムに使用されるトレーサビリティ管理装置。
【請求項３】
物流管理の対象である物品の消費ルートと廃棄処理の処分ルートからなる流通ルートに設けられて前記消費ルートで物品に付与されている無線タグと通信可能な所定の通信エリア内で通信を行う複数の所定の端末装置に、通信ネットワークを介して接続されたトレーサビリテイ管理装置とを備え、
前記トレーサビリテイ管理装置は、前記流通ルートの所定の通信エリア内に配送され、実質的に同一の形状をなす物品であって、収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報および入庫と出庫情報から物品在庫情報を生成し、通信エリア情報、集合された複数の物品について一単位としての集合体情報、該集合体を形成する各物体についての前記識別情報、該物体が当該物体の一構成員であることを示す構成員情報および物品在庫情報を前記トレーサビリテイ管理装置に送信可能な端末装置からの送信を受ける装置であり、かつ
前記流通ルートを流通する各物品についてマニフェスト票及び在庫管理票を備え、前記所定の通信エリア内で通信を行った端末装置から送信されてきた前記通信エリア情報、集合体情報、識別情報、構成員情報および物品在庫票情報とを前記通信エリアの別に前記マニフェスト票および在庫管理票に登録して通信エリアごとの集合体マニフェスト票情報および在庫管理情報とを構成してトレーサビリテイ情報として管理し、またトレーサビリテイ管理利用料情報を作成して、前記通信エリアの所定の端末装置からの要求を受けて集合体マニフェスト票情報単独であるいは在庫管理票情報とともに、およびトレーサビリテイ管理利用料情報を前記通信エリアの端末装置に送信する装置であり、
当該トレーサビリテイ管理装置を備えた物品のトレーサビリテイ管理システムで使用される前記端末装置であって、
前記トレーサビリテイ管理装置から送信された前記集合体マニフェスト票情報あるいはマニフェスト票情報と在庫管理票情報とトレーサビリティ管理利用料情報から少なくとも当該集合体についての集合体マニフェスト票を作成し、集合体マニフェスト票単独であるいは在庫管理票とトレーサビリテイ管理利用料とを印字装置に印字指示すること
を特徴とする物品のトレーサビリテイ管理システムで使用される端末装置。
【請求項４】
物流管理の対象である物品の消費ルートと廃棄処理の処分ルートからなる流通ルートに設けられ、前記消費ルートで物品に付与されている無線タグと通信可能な所定の通信エリア内で通信を行う複数の端末装置と、前記所定の端末装置に通信ネットワークを介して接続されたマニフェスト管理装置とを備えた物品のマニフェスト管理システムであって、
所定の端末装置は、前記流通ルートの所定の通信エリア内に配送され、実質的に同一の形状をなす物品と収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報を生成し、通信エリア情報、集合された複数の物品について一単位としての集合体情報、該集合体を形成する各物体についての前記識別情報、該物体が当該集合体の一構成員であることを示す構成員情報および物品在庫情報を前記マニフェスト管理装置に送信し、
前記マニフェスト管理装置は、前記流通ルートを流通する各物品についてマニフェスト票を備え、前記所定の通信エリア内で通信を行った端末装置から送信されてきた前記通信エリア情報、集合体情報、識別情報および構成員情報を前記通信エリアの別に前記マニフェスト票に登録して通信エリアごとの通信エリアごとの集合体マニフェスト票情報を構成してマニフェスト情報として管理し、前記通信エリアの所定の端末装置からの要求を受けて集合体マニフェスト票情報を前記通信エリアの端末装置に送信すること
を特徴とする物品のマニフェスト管理システム。
【請求項５】
物流管理の対象である物品の消費ルートと廃棄処理の処分ルートからなる流通ルートに設けられて前記消費ルートで物品に付与されている無線タグと通信可能な所定の通信エリア内で通信を行う複数の所定の端末装置に、通信ネットワークを介して接続されたマニフェスト管理装置とを備えた物品のマニフェスト管理システムに使用される前記マニフェスト管理装置であって、
前記流通ルートの所定の通信エリア内に配送され、実質的に同一の形状をなす物品であって収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報を生成し、通信エリア情報、集合された複数の物品について一単位としての集合体情報、該集合体を形成する各物体についての前記識別情報、該物体が当該集合体の一構成員であることを示す構成員情報および物品在庫情報を前記マニフェスト管理装置に送信可能な端末装置からの送信を受ける装置であり、
前記流通ルートを流通する各物品についてマニフェスト票を備え、前記所定の通信エリア内で通信を行った端末装置から送信されてきた前記通信エリア情報、集合体情報、識別情報および構成員情報を前記通信エリアの別に前記マニフェスト票に登録して通信エリアごとの集合体マニフェスト票情報を構成してマニフェスト情報として管理し、前記通信エリアの所定の端末装置からの要求を受けて集合体マニフェスト票情報を前記通信エリアの端末装置に送信すること
を特徴とする物品のマニフェスト管理システムに使用されるマニフェスト管理装置。
【請求項６】
請求項４または５において、前記マニフェスト管理装置は、マニフェスト管理利用料情報を作成して前記通信エリアの端末装置に送信することを特徴とする物品のマニフェスト管理システムに使用されるマニフェスト管理装置。
【請求項７】
物流管理の対象である物品の消費ルートと廃棄処理の処分ルートからなる流通ルートに設けられて前記消費ルートで物品に付与されている無線タグと通信可能な所定の通信エリア内で通信を行う複数の所定の端末装置に、通信ネットワークを介して接続されたマニフェスト管理装置とを備え、
前記マニフェスト管理装置は、前記流通ルートの所定の通信エリア内に配送され、実質的に同一の形状をなす物品であって、収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報を生成し、通信エリア情報、集合された複数の物品について一単位としての集合体情報、該集合体を形成する各物体についての前記識別情報、該物体が当該物体の一構成員であることを示す構成員情報および物品在庫情報を前記マニフェスト管理装置に送信可能な端末装置からの送信を受ける装置であり、かつ
前記流通ルートを流通する各物品についてマニフェスト票を備え、前記所定の通信エリア内で通信を行った端末装置から送信されてきた前記通信エリア情報、集合体情報、識別情報および構成員情報を前記通信エリアの別に前記マニフェスト票に登録して通信エリアごとの集合体マニフェスト票情報を構成してマニフェスト情報として管理し、またマニフェスト管理利用料情報を作成して、前記通信エリアの所定の端末装置からの要求を受けて集合体マニフェスト票情報を前記通信エリアの端末装置に送信する装置であり、
当該マニフェスト管理装置を備えた物品のマニフェスト管理システムで使用される前記端末装置であって、
前記マニフェスト管理装置から送信された前記集合体マニフェスト票情報から集合体情報に基づいて当該集合体についての集合体マニフェスト票を作成し、集合体マニフェスト票単独であるいは在庫管理票とともに印字装置に印字指示すること
を特徴とする物品のマニフェスト管理システムで使用される端末装置。
【請求項８】
物流管理の対象である物品の消費ルートと廃棄処理の処分ルートからなる流通ルートに設けられて前記消費ルートで物品に付与されている無線タグと通信可能な所定の通信エリア内で通信を行う複数の所定の端末装置に、通信ネットワークを介して接続されたトレーサビリテイ管理装置とを備え、
前記トレーサビリテイ管理装置は、前記流通ルートの所定の通信エリア内に配送され、収納体に収納された複数の物品について３次元走査可能な検出器を備えて、該検出器の３次元によって各無線タグとの通信により、無線タグに予め記録されている当該物品の識別情報を読み込み、前記無線タグとの通信によって入庫と出庫情報および入庫と出庫情報から物品在庫情報を生成し、通信エリア情報、集合された複数の物品について一単位としての集合体情報を該集合体を形成する各物品についての前記識別情報、該物体が当該集合体の一構成員であることを示す構成員情報および物品在庫情報を前記トレーサビリテイ管理装置に送信可能な端末装置からの送信を受ける装置であり、かつ
前記流通ルートを流通する各物品についてマニフェスト票及び在庫管理票を備え、前記所定の通信エリア内で通信を行った端末装置から送信されてきた前記通信エリア情報、集合体情報、識別情報、構成員情報および物品在庫票情報とを前記通信エリアの別に前記マニフェスト票および在庫管理票に登録して通信エリアごとの集合体マニフェスト票情報および在庫管理票情報とを構成してトレーサビリテイ情報として管理し、またマニフェスト管理利用料を含むトレーサビリテイ管理利用料情報を作成して、前記通信エリアの所定の端末装置からの要求を受けて集合体マニフェスト情報単独であるいは在庫管理票情報とともに、およびトレーサビリテイ管理利用料情報を前記通信エリアの端末装置に送信する装置であり、
当該トレーサビリテイ管理装置を備えた物品のトレーサビリテイ管理システムで使用される前記端末装置による物品のマニフェスト作成方法であって、
前記トレーサビリテイ管理装置から送信された前記集合体マニフェスト票情報から集合体マニフェスト票を作成し、当該集合体マニフェスト票およびマニフェスト管理利用料を印字装置に印字指示すること
を特徴とする物品のマニフェスト作成方法。
【請求項９】
物流管理の対象である物品の廃棄処理の処分ルートに設けられ、当該物品に付与されている無線タグと通信可能な所定の通信エリア内で通信を行う複数の端末装置と、前記所定の端末装置に通信ネットワークを介して接続されたマニフェスト管理装置とを備え、
前記マニフェスト管理装置は、前記流通ルートの所定の通信エリア内に配送され、収納体に収納された複数の物品について３次元走査可能な検出器を有して、該検出器によって各無線タグとの通信により、無線タグに予め記録されている当該蛍光ランプの識別情報を読み込み、前記無線タグとの通信によって入庫と出庫情報を生成し、通信エリア情報、集合された複数の物品について集合体情報、該集合体を形成する各物体についての前記識別情報、該物体が当該集合体の一構成員であることを示す構成員情報および入庫と出庫情報を前記マニフェスト管理装置に送信可能な端末装置からの送信を受ける装置であり、かつ
前記処分ルートを流通する各物品についてマニフェスト票を備え、前記所定の通信エリア内で通信を行った端末装置から送信されてきた前記通信エリア情報、識別情報および入庫と出庫情報とを前記通信エリアの別に前記マニフェスト票に登録して通信エリアごとの集合体マニフェスト票情報を構成すると共にマニフェスト情報として管理し、またマニフェスト管理利用料情報を作成して、前記通信エリアの所定の端末装置からの要求を受けて当該通信エリアの端末に送信する装置であり、
当該マニフェスト管理装置を備えた物品のマニフェスト管理システムで使用される前記端末装置による物品のマニフェスト作成方法であって、
前記マニフェスト管理装置から送信された前記集合マニフェスト票情報から集合体マニフェスト票を作成し、当該集合体マニフェスト票を印字装置に印字指示すること
を特徴とする物品のマニフェスト作成方法。
【発明の詳細な説明】
【技術分野】
【０００１】
本発明は、蛍光ランプのトレーサビリティ管理システム、廃棄物の廃棄に際して管理を行うためのマニフェスト管理システム、これらのシステムで使用される端末装置およびマニフェスト作成方法に関する。
【背景技術】
【０００２】
消費材として生産され、産業廃棄物となる物品についての追跡管理すなわちトレーサビリティ管理を行うシステムが色々と提供されている。そしてこのトレーサビリティ管理の一部としてマニフェスト（産業廃棄物管理票）の管理を行うシステムが提供されている。
【０００３】
１９９２年１２月には、電子マニフェストシステムがスタートし、紙のマニフェストのほか、電子データで同様のやり取りをする電子マニフェストが利用できるようになっている。
【０００４】
これらは、産業廃棄物の収集・運搬や中間処理（無害化や減量などの処理）、最終処分（埋め立て処分）などを他人に委託する場合、排出者が委託者に対してマニフェストを交付し、委託した内容通りの処理が適正に行われたかを確認するための制度に対応して提供されるシステムである。
【０００５】
特許文献１には、最終処理が完了するまでに作成されたマニフェストは、処分を依頼した者や都道府県・政令市などの報告要求を電子マニフェスト処理センターに行うことにより、何時でも報告を受けて知ることができ、そのマニフェストに記載されている履歴を見ることによって、何時、誰が（業者）、どの処分場で最終処分を行ったかの履歴を知ることができるということが記載されている。
【０００６】
特許文献２には、無線タグ用読取装置は、通信エリア内における無線タグとの通信により、その無線タグに予め記録されている当該物品の識別情報を読み込み、読み込んだ識別情報ごとに、無線タグとの通信状況を示す通信履歴情報を保存するとともに、読み込んだ識別情報ごとに、無線タグを付与している当該物品の利用者に課すべき利用料を予め設定された課金条件に基づいて課金し、読み込んだ識別情報ごとに、課金した利用料と保存した通信履歴情報とを物流管理装置に通信ネットワークを介して送信し、物流管理装置は、所定の通信エリア内で通信を行った無線タグ用読取装置から送信されてきた識別情報ごとの利用料と通信履歴情報とを通信エリアの別に管理し、外部装置からの要求を受けて、管理した識別情報ごとの利用料又は通信履歴情報の少なくとも一方の情報を通信エリアの別に外部装置に送信することを特徴とする物流管理システムが記載されている。
【０００７】
特許文献３には、産業廃棄物を排出する排出事業部に設置され、産業廃棄物に関するマニフェストを生成するマニフェスト生成管理手段と接続して当該産業廃棄物を廃棄するためのマニフェストを生成すると共に排出する産業廃棄物に個別追求管理する識別体を付与する機能を備えた排出手段と、前記排出手段から排出された産業廃棄物を収集・運搬する一次収集運搬事業部に設置され、前記排出事業部から排出された産業廃棄物を収集・運搬したことを前記マニフェスト生成管理手段に接続して産業廃棄物に付与されている前記識別体のデータを送出して通知する第１の収集運搬手段と、前記第１の収集運搬手段により搬送された産業廃棄物をリサイクルするための物と塵である廃棄物とに分離する中間処理事業部に設置され、産業廃棄物から廃棄物が生成されたことを前記マニフェスト生成管理手段に接続して産業廃棄物に付与されている識別体のデータを送出して通知する中間処理手段等が記載されている。更に、識別体は、ＩＣチップで形成されていることが記載され、ＩＣチップは、商品の製造メーカにより製造した際に貼り付け又は取り付けたものであることが記載されている。
【０００８】
特許文献４には、無線タグに記億された情報を電波により読取る無線タグ自動読取装置において、側壁が電波吸収材料で覆われた、無線タグを収納する収納容器と、上記収納容器が載置される載置面を備え、この載置面に上記収納容器の底面と略同じ形状で面積が略等しい領域を設けた載置台と、上記載置台に設けられ、上記領域を介して上記無線タグと電波の送受信を行う電波送受信手段と、上記電波送受信手段が受信した電波に基づいて上記無線タグに記憶された情報を読取る読取手段と、を具備することを特徴とする無線タグ自動読取装置が記載されている。
【０００９】
特許文献５には、蛍光管や電球等の製品を顧客の元に納入するとともに、使用済の製品を下取りして回収し、リサイクルする処理を行うための製品の納入及びリサイクルシステム、並びにそのシステムを構成するサーバ装置が記載されている。
【００１０】
特許文献６には、同一事業所又は住居群より多量に発生する廃蛍光管を廃蛍光管の標準形状・寸法を利用した繰返し利用可能の軽量堅固の標準形状・寸法の容器に収納し、当該容器に容器特有のデータを表示したバーコードラベルを付して、廃蛍光管の収集から引取・運送費用迄を容器毎に個管管理することを可能とする廃蛍光管収集処理管理システムが記載されている。
【００１１】
【特許文献１】特開２００３−３３１０５１号公報
【特許文献２】特開２００６−１０３８４６号公報
【特許文献３】特開２００３−１６２６１０号公報
【特許文献４】特開２００５−２６７０７５号公報
【特許文献５】特開２００４−４４６６４４号公報
【特許文献６】特開２０００−４４００８号公報
【発明の開示】
【発明が解決しようとする課題】
【００１２】
上述したように、従来、排出事業者段階、収集運搬業者段階、処分業者段階、最終処分業者段階の各段階における処分状況を電子マニフェスト処理センターに送信し、マニフェストに記載されている履歴を見ることによって、各処理段階で行った処分内容を知ることができるようになっている。そして、廃棄しようとする物品に無線タグなどの識別情報手段を貼付することも知られているところである。
【００１３】
しかしながら蛍光ランプのように構造自体が規格化され、多量に廃棄される物品にあっては廃棄ルートに流通する場合には箱、パレットの収納体に一括して収納されて排出されるのが普通であり、蛍光ランプを収納体から取り出して蛍光ランプの本数を確認して、マニフェストを作成していくには膨大な作業が伴うことになって効率的ではない。
【００１４】
このため、従来、蛍光ランプのように構造自体が規格され、多量に廃棄される物品にあっては、製造から廃棄まで一貫したトレーサビリティシステムが確立されておらず、また廃棄物処理ルートでのマニフェスト管理に当って取扱業者に大きな負担を強いてきた。
【００１５】
本発明は、かかる点に鑑みて上述した多量に廃棄される物品、例えば収納体に収納された蛍光ランプについて３次元走査を行って、蛍光ランプの場合であれば、各蛍光ランプに貼付している無線タグによって各蛍光ランプを識別し、集合した蛍光ランプをあたかも１つの物品のように取り扱うことを可能にしてマニフェスト作成を効率的にして負担を軽減することを目的とする。
【００１６】
また、本発明は、消費ルートの段階で、例えば製造段階で上述した多量に廃棄される物品の一部、例えば蛍光ランプの一部に無線タグを貼付することによって収納体に収納された蛍光ランプについて３次元走査を行って各蛍光ランプに貼付している無線タグによって各蛍光ランプを識別し、集合した蛍光ランプをあたかも１つの物品のように取り扱うことを可能にして消費ルートおよび廃棄処理ルートからなる流通ルートにおける追跡、すなわちトレーサビリティを容易に行うことができるようにすることを目的とする。
【課題を解決するための手段】
【００１７】
本発明は、物流管理の対象である物品の消費ルートと廃棄処理の処分ルートからなる流通ルートに設けられ、前記消費ルートで物品に付与されている無線タグと通信可能な所定の通信エリア内で通信を行う複数の端末装置と、前記所定の端末装置に通信ネットワークを介して接続されたトレーサビリテイ管理装置とを備えた物品のトレーサビリテイ管理システムであって、
所定の端末装置は、前記流通ルートの所定の通信エリア内に配送され、実質的に同一の形状をなす物品であって、収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報および入庫と出庫情報から物品在庫情報を生成し、通信エリア情報、集合された複数の物品について一単位としての集合体情報、該集合体を形成する各物体についての前記識別情報、該物体が当該集合体の一構成員であることを示す構成員情報および物品在庫情報を前記トレーサビリテイ管理装置に送信し、
前記トレーサビリテイ管理装置は、前記流通ルートを流通する各物品についてマニフェスト票及び在庫管理票を備え、前記所定の通信エリア内で通信を行った端末装置から送信されてきた前記通信エリア情報、集合体情報、識別情報、構成員情報および物品在庫票情報とを前記通信エリアの別に前記マニフェスト票および在庫管理票に登録して通信エリアごとの集合体マニフェスト票情報および在庫管理票情報とを構成してトレーサビリテイ情報として管理し、またトレーサビリテイ管理利用料情報を作成して、前記通信エリアの所定の端末装置から要求を受けて集合体マニフェスト票情報単独であるいは在庫管理票情報とともに、およびトレーサビリテイ管理利用料情報を前記通信エリアの端末装置に送信すること
を特徴とする物品のトレーサビリテイ管理システムを提供する。
【００１８】
本発明は、また、物流管理の対象である物品の消費ルートと廃棄処理の処分ルートからなる流通ルートに設けられて前記消費ルートで物品に付与されている無線タグと通信可能な所定の通信エリア内で通信を行う複数の所定の端末装置に、通信ネットワークを介して接続されたトレーサビリテイ管理装置とを備えた物品のトレーサビリテイ管理システムに使用される前記トレーサビリティ管理装置であって、
前記トレーサビリテイ管理装置は、前記流通ルートの所定の通信エリア内に配送され、実質的に同一の形状をなす物品であって、収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報および入庫と出庫情報から物品在庫情報を生成し、通信エリア情報、集合された複数の部品について位置単位としての集合体情報、該集合体を形成する各物体についての前記識別情報、該物体が当該集合体の一構成員であることを示す構成員情報および物品在庫情報を前記トレーサビリテイ管理装置に送信可能な端末装置からの送信を受ける装置であり、
前記流通ルートを流通する各物品についてマニフェスト票及び在庫管理票を備え、前記所定の通信エリア内で通信を行った端末装置から送信されてきた前記通信エリア情報、集合体情報、識別情報、構成員情報および物品在庫票情報とを前記通信エリアの別に前記マニフェスト票および在庫管理票に登録して通信エリアごとの集合体マニフェスト票情報および在庫管理票情報とを構成してトレーサビリテイ情報として管理し、またトレーサビリテイ管理利用料情報を作成して、前記通信エリアの所定の端末装置からの要求を受けて集合体マニフェスト票情報単独であるいは在庫管理票情報とともに、およびトレーサビリテイ管理利用料情報を前記通信エリアの端末装置に送信すること
を特徴とする物品のトレーサビリテイ管理システムに使用されるトレーサビリティ管理装置を提供する。
【００１９】
本発明は、また、物流管理の対象である物品の消費ルートと廃棄処理の処分ルートからなる流通ルートに設けられて前記消費ルートで物品に付与されている無線タグと通信可能な所定の通信エリア内で通信を行う複数の所定の端末装置に、通信ネットワークを介して接続されたトレーサビリテイ管理装置とを備え、
前記トレーサビリテイ管理装置は、前記流通ルートの所定の通信エリア内に配送され、実質的に同一の形状をなす物品であって、収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報および入庫と出庫情報から物品在庫情報を生成し、通信エリア情報、集合された複数の物品について一単位としての集合体情報、該集合体を形成する各物体についての前記識別情報、該物体が当該物体の一構成員であることを示す構成員情報および物品在庫情報を前記トレーサビリテイ管理装置に送信可能な端末装置からの送信を受ける装置であり、かつ
前記流通ルートを流通する各物品についてマニフェスト票及び在庫管理票を備え、前記所定の通信エリア内で通信を行った端末装置から送信されてきた前記通信エリア情報、集合体情報、識別情報、構成員情報および物品在庫票情報とを前記通信エリアの別に前記マニフェスト票および在庫管理票に登録して通信エリアごとの集合体マニフェスト票情報および在庫管理情報とを構成してトレーサビリテイ情報として管理し、またトレーサビリテイ管理利用料情報を作成して、前記通信エリアの所定の端末装置からの要求を受けて集合体マニフェスト票情報単独であるいは在庫管理票情報とともに、およびトレーサビリテイ管理利用料情報を前記通信エリアの端末装置に送信する装置であり、
当該トレーサビリテイ管理装置を備えた物品のトレーサビリテイ管理システムで使用される前記端末装置であって、
前記トレーサビリテイ管理装置から送信された前記集合体マニフェスト票情報あるいはマニフェスト票情報と在庫管理票情報とトレーサビリティ管理利用料情報から少なくとも当該集合体についての集合体マニフェスト票を作成し、集合体マニフェスト票単独であるいは在庫管理票とトレーサビリテイ管理利用料とを印字装置に印字指示すること
を特徴とする物品のトレーサビリテイ管理システムで使用される端末装置を提供する。
【００２０】
本発明は、また、物流管理の対象である物品の消費ルートと廃棄処理の処分ルートからなる流通ルートに設けられ、前記消費ルートで物品に付与されている無線タグと通信可能な所定の通信エリア内で通信を行う複数の端末装置と、前記所定の端末装置に通信ネットワークを介して接続されたマニフェスト管理装置とを備えた物品のマニフェスト管理システムであって、
所定の端末装置は、前記流通ルートの所定の通信エリア内に配送され、実質的に同一の形状をなす物品と収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報を生成し、通信エリア情報、集合された複数の物品について一単位としての集合体情報、該集合体を形成する各物体についての前記識別情報、該物体が当該集合体の一構成員であることを示す構成員情報および物品在庫情報を前記マニフェスト管理装置に送信し、
前記マニフェスト管理装置は、前記流通ルートを流通する各物品についてマニフェスト票を備え、前記所定の通信エリア内で通信を行った端末装置から送信されてきた前記通信エリア情報、集合体情報、識別情報および構成員情報を前記通信エリアの別に前記マニフェスト票に登録して通信エリアごとの通信エリアごとの集合体マニフェスト票情報を構成してマニフェスト情報として管理し、前記通信エリアの所定の端末装置からの要求を受けて集合体マニフェスト票情報を前記通信エリアの端末装置に送信すること
を特徴とする物品のマニフェスト管理システムを提供する。
【００２１】
本発明は、また、物流管理の対象である物品の消費ルートと廃棄処理の処分ルートからなる流通ルートに設けられて前記消費ルートで物品に付与されている無線タグと通信可能な所定の通信エリア内で通信を行う複数の所定の端末装置に、通信ネットワークを介して接続されたマニフェスト管理装置とを備えた物品のマニフェスト管理システムに使用される前記マニフェスト管理装置であって、
前記流通ルートの所定の通信エリア内に配送され、実質的に同一の形状をなす物品であって収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報を生成し、通信エリア情報、集合された複数の物品について一単位としての集合体情報、該集合体を形成する各物体についての前記識別情報、該物体が当該集合体の一構成員であることを示す構成員情報および物品在庫情報を前記マニフェスト管理装置に送信可能な端末装置からの送信を受ける装置であり、
前記流通ルートを流通する各物品についてマニフェスト票を備え、前記所定の通信エリア内で通信を行った端末装置から送信されてきた前記通信エリア情報、集合体情報、識別情報および構成員情報を前記通信エリアの別に前記マニフェスト票に登録して通信エリアごとの集合体マニフェスト票情報を構成してマニフェスト情報として管理し、前記通信エリアの所定の端末装置からの要求を受けて集合体マニフェスト票情報を前記通信エリアの端末装置に送信すること
を特徴とする物品のマニフェスト管理システムに使用されるマニフェスト管理装置を提供する。
【００２２】
上述のマニフェスト管理装置は、マニフェスト管理利用料情報を作成して前記通信エリアの端末装置に送信することを特徴とする。
【００２３】
本発明は、物流管理の対象である物品の消費ルートと廃棄処理の処分ルートからなる流通ルートに設けられて前記消費ルートで物品に付与されている無線タグと通信可能な所定の通信エリア内で通信を行う複数の所定の端末装置に、通信ネットワークを介して接続されたマニフェスト管理装置とを備え、
前記マニフェスト管理装置は、前記流通ルートの所定の通信エリア内に配送され、実質的に同一の形状をなす物品であって、収納体に収納された複数の物品について３次元走査可能な検出器を備えて、該検出器の３次元走査によって各無線タグとの通信により、無線タグに予め記録されている当該物品の識別情報を読み込み、前記無線タグとの通信によって入庫と出庫情報を生成し、通信エリア情報、集合された複数の物品について一単位としての集合体情報、該集合体を形成する各物体についての前記識別情報、該物体が当該物体の一構成員であることを示す構成員情報および物品在庫情報を前記マニフェスト管理装置に送信可能な端末装置からの送信を受ける装置であり、かつ
前記流通ルートを流通する各物品についてマニフェスト票を備え、前記所定の通信エリア内で通信を行った端末装置から送信されてきた前記通信エリア情報、集合体情報、識別情報および構成員情報を前記通信エリアの別に前記マニフェスト票に登録して通信エリアごとの集合体マニフェスト票情報を構成してマニフェスト情報として管理し、またマニフェスト管理利用料情報を作成して、前記通信エリアの所定の端末装置からの要求を受けて集合体マニフェスト票情報を前記通信エリアの端末装置に送信する装置であり、
当該マニフェスト管理装置を備えた物品のマニフェスト管理システムで使用される前記端末装置であって、
前記マニフェスト管理装置から送信された前記集合体マニフェスト票情報から集合体情報に基づいて当該集合体についての集合体マニフェスト票を作成し、集合体マニフェスト票単独であるいは在庫管理票とともに印字装置に印字指示すること
を特徴とする物品のマニフェスト管理システムで使用される端末装置を提供する。
【００２４】
本発明は、また、物流管理の対象である物品の消費ルートと廃棄処理の処分ルートからなる流通ルートに設けられて前記消費ルートで物品に付与されている無線タグと通信可能な所定の通信エリア内で通信を行う複数の所定の端末装置に、通信ネットワークを介して接続されたトレーサビリテイ管理装置とを備え、
前記トレーサビリテイ管理装置は、前記流通ルートの所定の通信エリア内に配送され、収納体に収納された複数の物品について３次元走査可能な検出器を備えて、該検出器の３次元によって各無線タグとの通信により、無線タグに予め記録されている当該物品の識別情報を読み込み、前記無線タグとの通信によって入庫と出庫情報および入庫と出庫情報から物品在庫情報を生成し、通信エリア情報、集合された複数の物品について一単位としての集合体情報を該集合体を形成する各物品についての前記識別情報、該物体が当該集合体の一構成員であることを示す構成員情報および物品在庫情報を前記トレーサビリテイ管理装置に送信可能な端末装置からの送信を受ける装置であり、かつ
前記流通ルートを流通する各物品についてマニフェスト票及び在庫管理票を備え、前記所定の通信エリア内で通信を行った端末装置から送信されてきた前記通信エリア情報、集合体情報、識別情報、構成員情報および物品在庫票情報とを前記通信エリアの別に前記マニフェスト票および在庫管理票に登録して通信エリアごとの集合体マニフェスト票情報および在庫管理票情報とを構成してトレーサビリテイ情報として管理し、またマニフェスト管理利用料を含むトレーサビリテイ管理利用料情報を作成して、前記通信エリアの所定の端末装置からの要求を受けて集合体マニフェスト情報単独であるいは在庫管理票情報とともに、およびトレーサビリテイ管理利用料情報を前記通信エリアの端末装置に送信する装置であり、
当該トレーサビリテイ管理装置を備えた物品のトレーサビリテイ管理システムで使用される前記端末装置による物品のマニフェスト作成方法であって、
前記トレーサビリテイ管理装置から送信された前記集合体マニフェスト票情報から集合体マニフェスト票を作成し、当該集合体マニフェスト票およびマニフェスト管理利用料を印字装置に印字指示すること
を特徴とする物品のマニフェスト作成方法を提供する。
【００２５】
本発明は、また、物流管理の対象である物品の廃棄処理の処分ルートに設けられ、当該物品に付与されている無線タグと通信可能な所定の通信エリア内で通信を行う複数の端末装置と、前記所定の端末装置に通信ネットワークを介して接続されたマニフェスト管理装置とを備え、
前記マニフェスト管理装置は、前記流通ルートの所定の通信エリア内に配送され、収納体に収納された複数の物品について３次元走査可能な検出器を有して、該検出器によって各無線タグとの通信により、無線タグに予め記録されている当該蛍光ランプの識別情報を読み込み、前記無線タグとの通信によって入庫と出庫情報を生成し、通信エリア情報、集合された複数の物品について集合体情報、該集合体を形成する各物体についての前記識別情報、該物体が当該集合体の一構成員であることを示す構成員情報および入庫と出庫情報を前記マニフェスト管理装置に送信可能な端末装置からの送信を受ける装置であり、かつ
前記処分ルートを流通する各物品についてマニフェスト票を備え、前記所定の通信エリア内で通信を行った端末装置から送信されてきた前記通信エリア情報、識別情報および入庫と出庫情報とを前記通信エリアの別に前記マニフェスト票に登録して通信エリアごとの集合体マニフェスト票情報を構成すると共にマニフェスト情報として管理し、またマニフェスト管理利用料情報を作成して、前記通信エリアの所定の端末装置からの要求を受けて当該通信エリアの端末に送信する装置であり、
当該マニフェスト管理装置を備えた物品のマニフェスト管理システムで使用される前記端末装置による物品のマニフェスト作成方法であって、
前記マニフェスト管理装置から送信された前記集合マニフェスト票情報から集合体マニフェスト票を作成し、当該集合体マニフェスト票を印字装置に印字指示すること
を特徴とする物品のマニフェスト作成方法を提供する。
【発明の効果】
【００２６】
本発明によれば、上述した多量に廃棄される物品、例えば収納体に収納された蛍光ランプについて３次元走査を行って、蛍光ランプの場合であれば、各蛍光ランプに貼付している無線タグによって各蛍光ランプを識別し、集合した蛍光ランプをあたかも１つの物品のように取り扱うことを可能にしてマニフェスト作成を効率的にして負担を軽減することができる。
【００２７】
また、本発明によれば、消費ルートの段階で、例えば製造段階で上述した多量に廃棄される物品の一部、例えば蛍光ランプの一部に無線タグを貼付することによって収納体に収納された蛍光ランプについて３次元走査を行って各蛍光ランプに貼付している無線タグによって各蛍光ランプを識別し、集合した蛍光ランプをあたかも１つの物品のように取り扱うことを可能にして消費ルートおよび廃棄処理ルートからなる流通ルートにおける追跡、すなわちトレーサビリティを容易に行うことができるようにすることができる。
【発明を実施するための最良の形態】
【００２８】
以下、本発明の実施例を図面に基づいて説明する。
【実施例１】
【００２９】
図１は、本発明の実施例の消費材のトレーサビリティ管理システムを示すブロック図である。
図１において、消費材のトレーサビリティ管理システム１００は、トレーサビリティ管理事業者１、製造者２、特約店３、排出事業者４、収集運搬業者５、処分業者６および最終処分業者７がそれぞれ取り扱う電子情報機器でもって構成される。ここでトレーサビリティ管理事業者１は、トレーサビリティ管理事業者が取り扱う管理用のコンピュータ（管理コンピュータ、すなわちホームセンタ用コンピュータ）を表わし、製造者２、特約店３、排出事業者４、収集運搬業者５、処分業者６、最初処分業者７としての電子情報機器は、それぞれの業者が取り扱う端末装置であり、例えばパーソナルコンピュータを含んで構成される。なお、排業事業者自体には企業・自治体、更には集荷業者が含まれている。それぞれの端末装置は後述する検出器にそれぞれ無線あるいは有線で接続されてデータを取り込み得るように構成され、またインターネットなどの通信手段を介して管理コンピュータ１に接続され、情報の授受をなし得るように構成され、これらの電子情報機器はそれぞれ必要とされるデータベース、記憶手段を備えている。
【００３０】
そして、これらの電子情報機器は流通ルート１０上に配置され、流通ルート１０は、製造者２、特約店３および排出事業者４を含む消費ルート１１および排出事業者４、収集運搬業者５、処分業者６および最終処分業者７を含む廃棄処理の処分ルート１２からなり、これらのルートは産業廃棄物の処理ルートとしてよく知られているところである。この実施例では流通ルート１０上を流過する物品として蛍光ランプを例にとって説明するが、消費材であってダンボール箱あるいはパレットなどの収納体につめられて、例えば積層されて同一形状をなす物が同一手法によって流通されるものを対象としている。例えば、これらのものとしては蛍光ランプ以外のものとして電球、家庭電化製品部品等の部品がある。
【００３１】
例えば、蛍光ランプについて、製造から最終処分までの流通ルート１０を対象にして説明する場合を消費材として廃棄処理の処分ルート１２を対象にして説明する場合を産業廃棄物として表わすものとする。図１を説明する前に、本実施例の内容を理解し易くするために、蛍光ランプを例にとって各蛍光ランプに無線タグを貼付する例、無線タグの列および収納体に複数本収納された各蛍光ランプの識別方法について説明する。ここでは、ＲＦＩＤ、無線タグ、ＩＤタグ、ＲＦタグ、ＩＣタグ、μチップなどとして呼ばれているラベル型のタグを無線タグと総称することとする。そして、無線基地局、リーダーを総称して識別読取装置と総称することとする。
無線タグには、蛍光ランプを区別するデータおよび製造者データが書き込まれる。製造者データには製造年月日、製造工場原材料を書き込んでおくことができる。
【００３２】
図２は、無線タグ２１の蛍光ランプ２０への取り付け状況を示し、図２（ａ）にあっては蛍光ランプ２０の端子２４を有する金属部２２に巻き付けて貼付した金属部、巻き付け貼り方式を示し、図２（ｂ）にあっては蛍光ランプ２０の照明筒であるガラス部２３に巻き付けて貼付したガラス部、巻き付け貼り方式を示し、図２（ｃ）にあっては蛍光ランプ２０のガラス部２３に直線状に貼り付けたガラス部、直線貼り方式を示す。これ以外の貼り付けを採用することができるが、無線タグ２１を蛍光ランプ２０の端部に貼り付けることが識別処理にとって望ましいものとなる。
無線タグ２１には品物を同定するに必要な最小限の識別情報が記録されるが、無線タグ２１の構成、内容は周知であり、これ以上説明を要しない。
【００３３】
本実施例では、収納体２５に蛍光ランプについて、あるいは収納体２５に収納された蛍光ランプとを集合してマニフェストのＡ票で取り扱う集合体を総称して集合体と称し、集合体を構成する蛍光ランプについての識別情報を集合体情報、この集合体情報をマニフェスト形式の情報表示とする場合を集合体マニフェスト票情報と称し、集合体マニフェスト情報を紙上に印字したものを集合体マニフェスト票と称する。ここで集合体とは集合された蛍光ランプということであり、マニフェスト票が集合されるという意味ではない。また、本実施例において構成員とは集合体を形成することになる１本１本の蛍光ランプを指す。
【００３４】
図３は、収納体２５に収納した集合体としての蛍光ランプ、すなわち蛍光ランプ集合体（消費材集合体でもある）を形成し、蛍光ランプ集合体を構成する一本一本の蛍光ランプを識別する方法および３次元走査可能な検出器の構成について示す。図３（ａ）の左端の丸部は複数の蛍光ランプを収納体２５に収納し、運搬機によってあるいは人力によって運搬している状態を示し、右上部は読み取りゲート２６の事例を示す。読み取りゲート２６は門型をなし、三方の枠体にはそれぞれスキャナアンテナ２７が取り付けてある。収納体２５は、この読み取りゲート２６を通過させられ、この通過貨間にスキャナアンテナ２７によってＸ、Ｙ、Ｚの三次元走査をすることによって各蛍光ランプ２０に貼付されている無線タグ２１の識別情報を読み取る。例えば、段ボールの場合、無線信号の透過性も確認され、減衰が見られないことが確認されている。ＣＤ、ケーブル、リモコン、アダプタなど遮蔽効果が大きいものを梱包していない場合には、スキャナアンテナ２７の採用によって収納体の内部に収納した各構成体に貼付した無線タグ２１を識別することができることが判っている。
【００３５】
本実施例では、図３（ａ）右下部に示すように、一括読取りレベルとして箱レベルが望ましいが、パレットレベルであっても構わない。また、箱レベルあるいはパレットレベルに加えて個品レベルの識別処理を併用することができる。いずれにしても、蛍光ランプのように排出事業者から年間ほぼ１．６億本もの多量の蛍光ランプが産業廃棄物として処理される場合、複数の蛍光ランプを収納体２５に収納し、蛍光ランプ集合体として一括処理することが作業効率上必要とされる。
【００３６】
図３（ｂ）は、ベルトコンベア２８を使用して、流過の過程まで、収納体２５に収納された蛍光ランプ集合体について収納状態でスキャナアンテナ２７によって下方向から読み取りを行っている状況（図３（ｂ）左図）およびスキャナアンテナ２７によって左右と上方向から読み取っている状況（図３Ａ（ｂ）右図）を示し、蛍光ランプ２０に対する無線タグ２１の貼付状況、無線タグ２１を貼付した蛍光ランプ２０の配置状況に応じて適宜され得る。
【００３７】
図１に戻って、トレーサビリティ管理事業者の管理コンピュータ１によってトレーサビリティ管理装置３１が構成される。トレーサビリティ管理装置３１は、蛍光ランプ２０の製造者発送から最終処分業者までの流通あるいはリサイクル状況の追跡を行うトレーサビリティとしての機能を有して構成される。そして、トレーサビリティ管理装置３１はその具体的機能としてマニフェスト票情報構成機能を在庫情報すなわち流通状況把握情報構成機能を有し、これらの両者を合わせてトレーサビリティの機能とし、マニフェスト票情報構成機能単独の場合にマニフェスト機能と称することとする。従って、トレーサビリティ管理装置３１は、その機能の一部としてマニフェスト管理装置としての機能を有することとなる。製造者２、特約店３、排出事業者４、収集運搬業者５、処分業者６の電子情報機器は、それぞれ端末装置４１、４２、４３、４４、４５を備える。最終処分業者７も電子情報機器としての端末装置を備える。
【００３８】
各端末装置４１−４５は、流通ルート１０の所定の通信エリア内に配送され、実質的に同一の形状をなす蛍光ランプ２０（物品）であって、収納体に収納された複数の物品について３次元走査可能な検出器３６を備える。この検出器３６の３次元走査によって各無線タグとの通信により、無線タグに予め記録されている当該蛍光ランプ２０の識別情報を読み取る読取装置３７を備える。この読み込みによって、すなわち通信エリア情報を生成し、無線タグ２１との通信によって入庫と出庫情報および入庫と出庫情報から蛍光ランプ在庫情報を生成し、集合された複数の物品である蛍光体について一単位として構成するための集合体情報を生成し、該集合体を形成する各蛍光ランプ（物品）２０についての識別情報、該蛍光ランプが当該集合体の一構成員であることを示す構成員情報および蛍光ランプ在庫情報をトレーサビリティ管理装置３１に送信する。また、これらの情報が所定の端末装置４１−４５のいずれから送信されたものであるかを示す通信エリア情報４０（図５）を発信する。上述の一単位として構成するとは、マニフェスト票１枚を作成するためにという意味に使用し、例えばマニフェストA票を構成するのに必要であるという意味に使用する。入庫、出庫情報は厳密な入庫日、出庫日ばかりでなく入庫についておよび出庫についての情報ということである。
【００３９】
トレーサビリティ管理装置３１がマニフェスト管理装置として構成される場合、各端末装置４１−４５は、上述のように流通ルート１０の所定の通信エリア内に配送され、実質的に同一の形状をなす蛍光ランプ２０を集合して収納体の内部（すなわち、複数例えば２５本の蛍光ランプ）について３次元走査可能な検出器３６を備える。この検出器３６の３次元走査によって各無線タグ２１との通信により、無線タグ２１に予め記録されている蛍光ランプ２０の識別情報を読み込む。また、無線タグ２１との通信によって入庫と出庫情報を生成し、２５本の蛍光ランプを一括して取り扱う２５×４０＝１０００本の蛍光ランプ集合体情報、この集合体を形成する各蛍光ランプについての識別情報、該蛍光ランプが当該集合体の一構成員であることを示す構成員情報を通信エリア情報と共に、トレーサビリティ管理装置３１のマニフェスト管理装置に送信する。
【００４０】
そして、各端末装置４１−４５は、無線タグ２１と通信を行う検出器３６および検出器３６からの検出データによって識別情報を読み取る読取装置３７、当該端末装置が設置されている所定の通信エリアであること、すなわち、後述するようにどの業者の電子情報機器に設けられたかを示すルート上の位置情報を含む個有情報格納機能、識別情報を含む生成情報を送信する送信機能、送信されて来た情報を受信する受信機能、自己情報生成機能等を有する処理手段７１、情報格納手段としてのデータベース７２、および格納した情報に基づいて印字を指示する印字指示手段４９を備える。その他の必要とされるデータを格納するデータベース５１を備える。図では印字内容を４８で示している。
【００４１】
製造者の端末装置４１は、蛍光ランプ２０を特約店に、又は直接ユーザである排出事業者に出荷するに当り、検出器３６、読取装置３７を使用して、各蛍光ランプ２０についての識別情報をトレーサビリティ管理装置３１に通信手段５０を介して送信する。尚、各段階で使用する検出器および読取装置についても同一構成を採用できるので、便宜上同一番号を付している。特約店の端末装置４２についても同様であり、排出事業者に出荷するに当り、各蛍光ランプ２０についての識別情報をトレーサビリティ管理装置３１に通信手段５０を介して送信する。製造者の段階で無線タグが貼付されなかった場合、この段階で貼付され得る。
これらの段階の消費ルート１１と後述の廃棄処理ルートで使用される収納体とは別個のものであるが便宜上同一番号を付している。
【００４２】
排出事業者４は、製造者２あるいは特約店３への注文に従って納品されると、入庫の際に検出器４６、読取装置４７を使用して、各蛍光ランプ２０についての識別情報をトレーサビリティ管理装置３１に通信手段５０を介して送信する。
排出事業者４は、納品された各蛍光ランプ２０を使用に供する。使用によって寿命が来た蛍光ランプ２０については一括まとめて収納体２５に収納する。収納体２５が満杯になると、複数の収納体を集合して廃棄手続が取られる。集合する本数は任意である。この廃棄手続は、使用済の蛍光ランプ２０（以下、単に蛍光ランプ２０という。）ともに次の業者にマニフェストを渡して行うことになるが、本実施例の場合、このマニフェストの交付は電子交付によってなされるため直接的に手渡されることはない。端末装置４３から複数の収納体に収納された蛍光ランプについてのある集合体についての情報（集合体情報）とこれらの蛍光ランプと集合体との連携を示す構成員情報とが通信エリア情報と共にトレーサビリティ管理装置３１に通信手段５０を介して送信される。このように集合体情報は、出庫の時に検出器３６および読取装置３７が使用されて取得された各蛍光ランプ２０について識別情報と、この識別情報を集合体情報に組み合わせるための構成員情報と一体とされ、通信エリア情報と共に通信手段５０を介してトレーサビリティ管理装置３１に送信される。
【００４３】
従って、構成員情報とは各蛍光ランプ２０について当該集合体の一構成員であることを示す情報である。集合体情報は画像取得装置によって画像を取得し、この画像に任意に識別番号を付与するようにして形成してもよい。このようにして、マニフェストに必要な事項がトレーサビリティ管理装置３１に送信され、マニフェスト作成がなされ、排出事業者の指定する収集運搬業者に収集運搬の依頼があったことを示すマニフェストが伝達される。これによって、蛍光ランプ２０は処分ルート１２を流過されることになる。
【００４４】
必要な事項が電子的に記録されたマニフェストはこの段階で処理前のＡ票−Ｅ票としてトレーサビリティ管理装置３１に登録される。このことはマニフェスト管理装置３１に登録されることでもある。以下、同じである。排出事業者４を示す図には２つの端末装置４３が表示してあるが、蛍光ランプ２０の使用前後の入庫時および出庫時における端末装置を示すものであり、当然１台の端末装置によって情報の入力、出力がなされる。そして、入庫情報および出庫情報についてもトレーサビリティ管理装置３１に送信され、両者の情報から蛍光ランプの排出事業者４の在庫管理情報が構成される。トレーサビリティ管理装置３１は、トレーサビリティ管理利用料情報生成手段９６を備え、マニフェスト作成に対するサービス料を含めて、各端末装置４１−４５からの情報送信要求に対応して予め契約によって定められた料率によってトレーサビリティ管理利用料、すなわちサービス料を生成することを行い、要求のあった端末装置に送信することを行う。無線タグ２１を蛍光ランプ２０に貼付するに要する費用についても予め契約によって定められた料率によってトレーサビリティ管理利用料として管理することができる。
【００４５】
排出事業者４は、蛍光ランプ２０を収納体２５に収納した状態で集合体として一括して収集運搬業者５に引き渡す。この時に、排出事業者４および収集運搬業者５は、それぞれの端末装置に表示されたＡ〜Ｅ票によって集合体情報およびその他記載事項を確認することができる。運搬担当者は必要事項を端末装置４４に表示し、蛍光ランプ２０を収納体２５に収納した状態で集合体を一括して引き取ったことをトレーサビリティ管理装置３１経由で端末装置４３に出力する。これによって運搬の確認がなされる。収集運搬業者５は、蛍光ランプ２０を収納体２５に収納した状態で集合体を一括して処分業者６に引き渡す。Ｂ１〜Ｅ票についてはトレーサビリティ管理装置３１経由で端末装置４５に表示可能とすることで引き渡す。この場合に、処理担当者からトレーサビリティ管理装置３１経由で承認情報を端末装置４４に入力させ、Ｂ１票とＢ２票とを受取り、Ｂ２票についてはトレーサビリティ管理装置３１経由で端末装置４３に表示可能とする。Ｂ１票についてはトレーサビリティ管理装置３１に要求することによっていつでも表示可能とする。処分業者６の段階で蛍光ランプ２０は、収納体２５から取り出され、ガラス、口金、蛍光体粗水銀等に分けて処分５２され、リサイクル原材料５３とされ、他の残りは廃棄物５４とされる。リサイクル原材料５３はリサイクルルート１６を介して製造者１に戻される。
【００４６】
同様にして、Ｃ１票は中間処理、最終処分業者の控とされ、Ｃ２表は収集運搬業者が自分の運搬に蛍光ランプの処分を確認するためのものとなり、Ｄ票は排出事業者が委託先の処分終了を確認するためのものとなり、Ｅ票は排出事業者４が全ての最終処分（再生を含む）が終了したことを確認するためのものとなって、これらのマニフェスト票は、いずれにもトレーサビリティ管理装置３１経由で送信され、それぞれの端末装置に表示することによって確認するためのものとなる。
【００４７】
図１において、トレーサビリティ管理装置３１は、各ユーザ，各通信エリアについてのデータをデータベース６１に格納しており、流通ルート１０を流通する各蛍光ランプ２０についての識別情報、集合体情報、および構成員情報をマニフェスト票６２及び在庫管理票６３から出力可能とし、所定の通信エリア内で通信を行った端末装置から送信されてきた集合体情報、識別情報、構成員情報（一部の端末装置では識別情報のみ）および蛍光ランプ在庫票情報を通信エリア別にマニフェスト票６２及び在庫管理票６３に登録する。各端末装置４１−４５から送信されてきたマニフェスト情報は情報収集６４され、整理されて統計６５され、上述のようにマニフェスト票６２及び在庫管理票６３に登録され、逐次データ更新されてトレーサビリティ情報として管理されることになる。すなわち、ここで、管理とは逐次データを更新していつでも出力できるように維持される。
【００４８】
マニフェスト票６２及び在庫管理票６３に集合体マニフェスト票情報及び在庫管理票情報として蓄積された情報は、ユーザ毎に、すなわち各排出事業者の端末装置毎、各収集運搬業者の端末装置毎、各処理業者の端末装置毎、各最終処分業者の端末装置毎に、集合体情報、識別情報および構成員情報によって、そして集合体マニフェスト票に従って分類されてセット情報６６とされてデータベース６７に格納される。このように、トレーサビリティ管理装置３１は、所定エリアの所定の端末装置からの要求に対応可能とするために、集合体情報および構成員情報を参照して集合体について各蛍光ランプについての集合体マニフェスト票情報を集合して任意の通信エリアの集合体マニフェスト票を作成し、またトレーサビリティ管理利用情報を作成し、データベース６７に格納する。
【００４９】
そして、所定の通信エリアの所定の端末装置から要求を受けて、集合体マニフェスト票情報単独であるいは在庫管理票情報とともに、およびトレーサビリティ管理利用料情報と共に当該通信エリアの端末装置に送信する。
【００５０】
トレーサビリティ管理利用料は作成する集合体マニフェスト票のセット作成状況に対応して予め契約によって料率は定められ、請求の時期が定められて任意の時に、任意の方法で例えば集合体マニフェスト票情報提供の要求があったときに、この集合体マニフェスト票情報とともに端末装置４１−４５に送信される。
【００５１】
在庫管理票情報は各通信エリアの所定の通信エリア毎に統計することが可能とされるとともに、各集合体について各段落の通信エリア毎の在庫管理状況として統計することが可能とされ、それらの履歴状況に対応した出力が可能とされる。
【００５２】
このように、トレーサビリテイ管理装置３１は、流通ルート１０を流通する物品としての蛍光ランプ２１についてマニフェスト票及び在庫管理票を備え、所定の通信エリア内で通信を行った端末装置から送信されてきた集合体情報、識別情報、構成員情報および物品在庫票情報とを通信エリアの別にマニフェスト票および在庫管理票に登録して通信エリアごとの集合体マニフェスト票情報および在庫管理票情報とを構成してトレーサビリテイ情報として管理する。またトレーサビリテイ管理利用料情報を作成して、任意の通信エリアの所定の端末装置から要求を受けて集合体マニフェスト票情報単独であるいは在庫管理票情報とともに、およびトレーサビリテイ管理利用料情報を通信エリアの端末装置に送信する。
【００５３】
また、マニフェスト管理装置は、流通ルートを流通する蛍光ランプについてマニフェスト票を備え、所定の通信エリア内で通信を行った端末装置から送信されてきた集合体情報、識別情報および構成員情報を通信エリアの別にマニフェスト票に登録して通信エリアごとの集合体マニフェスト票情報を構成してマニフェスト情報として管理する。またマニフェスト管理利用料情報を作成して、通信エリアの所定の端末装置からの要求を受けて集合体マニフェスト票情報およびマニフェスト管理利用料情報を通信エリアの端末装置に送信する。
【００５４】
図４は、排出事業者の電子情報機器として使用される端末装置４３の機能を示す図である。他の端末装置についても同様構成である。図４において、端末装置４３は、処理手段７１および記憶手段としてのデータベース７２を備える。処理手段７１は、集合体情報、識別情報、構成員情報の生成７３、入庫および出庫情報の生成７４、在庫情報の生成７５、個有情報の生成、生成情報のトレーサビリティ管理装置への送信７７、トレーサビリティ管理装置からの出力受信７８、集合体マニフェスト票、セット情報の生成７９、集合体マニフェスト票、セット情報の出力指示８０および在庫情報の出力指示８１の各機能を備える。データベース７２にはこの端末装置７１が排出事業者の内、特定の排出事業者の通信エリアが設置されていて、この通信エリアを示すデータおよび各種演算処理を行うプログラムを格納する。
【００５５】
処理手段７１は、収納体２５に収納された各無線タグ２１と通信し、読取装置３７によって情報を読み取り、集合体情報、識別情報、構成員情報の生成７３を行う機能によって、図５に示すように、複数の物品について集合された物品、逆に言えば、集合された複数の物品を一単位とした集合体情報８５、構成員としての各蛍光ランプについての識別情報８７ならびにこれらの両者を結合あるいは連係づける役目を果たす構成員情報８６を生成する。この連係づけによって二つの情報は一体的に取り扱い得るようになる。例えば、集合体情報をＸＸとし、蛍光ランプの１つについての識別情報がＹＹＹとした場合、構成員情報はＸＹというようになる。
【００５６】
処理手段７１は、入庫および出庫時の検出によって入庫および出庫情報の生成７４を行う。また、これらの情報から在庫情報の生成７５を行う。この在庫情報の生成は、トレーサビリティ管理装置３１で行ってもよい。
【００５７】
処理手段７１は、データベース７２に格納されたデータを使用して端末装置４３が所属する特定の通信エリアであることを示す個有情報の生成７６を行う。
【００５８】
処理手段７１は、通信機能を有して生成情報についてトレーサビリティ管理装置３１への送信を通信手段５０を介して行い、またトレーサビリティ管理装置３１から送信されてくるデータを受信、すなわちトレーサビリティ管理装置３１からの出力受信７８を行う。トレーサビリティ管理装置３１からの出力は集合体マニフェスト票情報となっており、この情報を集合体マニフェスト票を生成することができる。集合体マニフェスト票情報は、端末装置４３についてはＡ票、Ｂ２票、Ｄ票およびＥ票をそれぞれ備えており、これらの票をセットとしてまた単独に出力することができる。このように、処理手段７１は、集合体マニフェスト票、セット情報の生成７９を行い、集合体マニフェスト票、セットとしてのセット情報の出力指示８０を与えることができる。これらの情報は印字装置８２に送信され、印字装置８２は、端末装置４３からの指示に従ってマニフェストとしてのＡ票、Ｂ２票、Ｄ票およびＥ票を単独で、もしくはセットとして印字８３することを行う。
【００５９】
同様にして各業者の段階で作成および印字される状況を図６に示す。
処理手段７１は、入庫情報、出庫情報および在庫情報を在庫情報として出力指示（在庫情報の出力指示８１）を行うことができる。この在庫情報は端末装置４３についてのものばかりでなく、他の端末装置にて仕掛かり状態となっている他の端末装置の在庫状況を上述の集合体情報、識別情報と関連づけて構成され得る。これらの情報は、印字装置８２で在庫８４として印字される。
【００６０】
図７において、トレーサビリティ管理装置３１は、各端末装置４１−４５に接続された入出力部９７を備えた入出力手段９１、処理手段９２および記憶手段９３を備える。トレーサビリティ管理装置３１の内容については前述した通りであるので、ここでは繰り返さないが、処理手段９２は、各ルート業者種別および同種業者別集合体マニフェスト票情報生成手段（集合体マニフェスト票情報生成手段）９４および同種業者別および同業者関連の在庫票情報の生成手段（在庫票情報生成手段）９５を備える。集合体マニフェスト票情報生成手段９４は、各業者種別段階の所定の通信エリアについて集合体マニフェストＡ、Ｂ２、Ｄ，Ｅ票情報、Ｂ２、Ｃ２表情報、Ｃ票情報、Ｅ票情報を作成する。
【００６１】
マニフェスト管理装置９０による上述の集合体マニフェストＡ、Ｂ２、Ｄ、Ｅ票情報、Ｂ２、Ｃ２票情報、Ｃ１票情報、Ｅ票情報の入力、作成方法、関連づけ方法および出力方法は図８の通りである。
この関連づけによって任意の排出事業者は集合マニフェストＡ票意外にＢ２票、Ｄ票
、Ｅ票についても出力することができる。他の段階の業者についても同様である。
【００６２】
図９および図１０は、各端末装置におけるフローを示す。図９は、端末装置における集合体マニフェスト票作成開始時のフローであり、図１０は端末装置における集合体マニフェスト票印字時のフローである。
【００６３】
図９において、排出事業者４が蛍光ランプ２０を収納体２５に収納して廃棄する時に、Ａ票該当の集合体マニフェスト票識別番号を付与し、登録を行う（Ｓ１１）。この集合体マニフェスト票識別番号は通信エリア４０を示すことになる。収納体内の蛍光ランプについて３次元走査による識別、登録を行う（Ｓ１２）。集合マニフェスト票識別番号と各蛍光ランプとの関係付けを行う構成員情報の付与・登録を行う（Ｓ１３）。ついで、上述の付与および識別情報が当該通信エリア個有の情報として生成して（生成情報）、トレーサビリティ管理装置３１への送信を行う（Ｓ１４）。
【００６４】
図１０において、集合体マニフェスト票識別番号による各集合体マニフェスト票作成の指示を行う（Ｓ２１）。トレーサビリティ管理装置（マニフェスト管理装置）から該当の集合体マニフェスト票情報の送信を受け、取得する（Ｓ２２）。ついで、該当の集合体マニフェスト票について、印字装置に印字を指示する（Ｓ２３）。印字装置は、指示に従って、伝達された該当の集合体マニフェスト票は、Ａ票、Ｂ２表、Ｄ票およびＥ票のセットとして出力され得る。
【００６５】
また、在庫管理票を印字する場合にあっても図９および図１０のフローと同様のものとなる。
【００６６】
図１１は、トレーサビリティ管理装置におけるフローを示す。
図１１において、各端末装置から生成情報を随時受信する（Ｓ３１）。マニフェスト票および在庫管理票データを更新し、格納する（Ｓ３２）。集合体マニフェスト票送信の要求がいずれかの端末装置からあったかを判定し（Ｓ３３）、更に各ルート業者種別マニフェスト票の要求があったかを判定し（Ｓ３４）、いずれも要求があったと判定された場合には各ルート業者別マニフェスト票情報の取り出し指示する（Ｓ３５）。ついで、同種業者別集合体マニフェスト票が要求されているかを判定し（Ｓ３６）、要求されている場合には、同種業者別集合体マニフェスト票の取り出し指示を行い（Ｓ３７）、データベースから取り出された集合体マニフェスト票情報を要求のあった端末装置へと送信する。トレーサビリティ管理装置は、端末装置から生成情報を受信してから５年以上の期間に亘ってデータを更新、格納し、要求に応じ得るものとされる。これによって図１２に示す集合体マニフェストに該当する各票が排出事業者、収集運搬業者、処分業者によって５年間保管されることになる。最終処分業者がＣ１票を保管する場合もある（図８参照）。
【００６７】
在庫管理票データの内容も同様である。ステップＳ３１、Ｓ３２の後に、在庫管理票情報の送信があったかを判定し（Ｓ４０）、各ルート業者種別在庫データの要求があったかを判定し（Ｓ４１）、各ルート業者別在庫管理情報の取り出し指示を行う（Ｓ４２）。ついで、同業者別在庫データの要求があったかを判定し（Ｓ４２）、同種業者別在庫管理票データの取り出し指示を行い（Ｓ４４）、要求のあった端末装置へと送信する（Ｓ４３）。
【００６８】
最終的に、上述の集合体マニフェスト票情報単独で、あるいは在庫管理票情報の送信と共に、トレーサビリティ管理利用料情報の送信がなされる（S３９）。このトレーサビリティ管理利用料情報の送付は同時に行っては別途行う方法であってもよい。
【実施例２】
【００６９】
以下、第２の実施例について説明する。第２の実施例が第１の実施例と異なる事項は、実質的に同一の形状となす蛍光ランプを各同本数集合して収納し、容積および外形が定型で同型とされた収納体を前記処分ルートを多数流過するように構成したことにある。他の構成は実質的に第１の実施例と同じであり、第１の実施例の説明を援用する。
【００７０】
図１３に収納体２５Ａの構成を示す。図１３（ａ）において、収納体２５Ａは、正方形の筒状をなす本体部１０１，上下のフタ部１０２，１０３からなり、本体部１０１の上下端に格子状に空間を区割して多数の小空間を形成する格子板１０４，１０５が取り付けてある。図１３（ｂ）において、この区割された小空間には規則正しく蛍光ランプ２０が配列され、各蛍光ランプ２０には無線タグ２１が金属部２２に貼付してある。
【００７１】
フタ部１０２，１０３を本体部１０１に固定することによって図１３（ｃ）に示すように一連の蛍光ランプは収納体２５Ａに収納され、外部から接触されないように保持される。本例にあっては収納体２５Ａは、正方形の筒状として形成してあるが、長方形の筒状あるいは丸型、楕円型等の他の筒状形体のものであっても構わない。
このような収納体２５Ａを採用することによって端末装置４１−４５あるいはマニフェスト管理装置９０は、次のように形成される。
【００７２】
端末装置４１〜４５は、処分ルート１２の所定の通信エリア内に配送され、収納体２５Ａに収納されて無線タグ２１が貼付された複数の蛍光ランプ２０について３次元走査可能な検出器３６を備えて、検出器３６の３次元走査による各無線タグ２１との通信により、無線タグ２１に予め記録されている蛍光ランプの識別情報を読み込み、無線タグ２１との通信によって入庫と出庫情報を生成し、通信エリア情報，蛍光ランプ２０の集合体情報、集合体を形成する各蛍光ランプ２０についての識別情報８７および該物体が当該集合体の一構成員であることを示す構成員情報８６をマニフェスト管理装置９０に送信するように構成されている。
【００７３】
また、マニフェスト管理装置９０は、処分ルート１２を流通する集合体、蛍光ランプ２０についてマニフェスト票を備え、所定の通信エリア内で通信を行った端末装置４１〜４５から送信されてきた集合体情報、識別情報および構成員情報を通信エリアの別にマニフェスト票に登録して通信エリアごとの集合体マニフェスト票情報を構成して集合体マニフェスト情報として管理し、通信エリアの所定の端末装置４１〜４５からの要求を受けて集合体マニフェスト票情報を通信エリアの端末装置に送信するようにして構成される。
【００７４】
この実施例によれば次のシステム，装置，方法を提供することができる。
物流管理の対象である蛍光ランプ２０についての廃棄処理の処分ルート１２に設けられ、蛍光ランプ２０に貼付されている無線タグ２１と通信可能な所定の通信エリア内で通信を行う複数の端末装置４１−４５と、これらの端末装置４１−４５に通信ネットワーク５０を介して接続されたマニフェスト管理装置９０とを備えた蛍光ランプのマニフェスト管理システム１００であって、実質的に同一の形状となす蛍光ランプを各同本数集合して収納し、容積および外形が定型で同型とした収納体２５を処分ルート１２を多数流過させる。
【００７５】
所定の端末装置４１−４５は、処分ルート１２の所定の通信エリア内に配送され、収納体２５内の無線タグ２１が貼付された各蛍光ランプについて３次元走査可能な検出器３６を備えて、検出器３６の３次元走査による各無線タグとの通信により、無線タグ２１に予め記録されている蛍光ランプ２１の識別情報を読み込み、通信エリア情報、無線タグ２１との通信によって入庫と出庫情報を生成し、集合体を形成する各蛍光ランプについての識別報および各蛍光ランプが集合体の一構成員であることを示す構成員情報をマニフェスト管理装置９０に送信する。
【００７６】
マニフェスト管理装置９０は、処分ルート１２を流通する集合体および各蛍光ランプについてマニフェスト票を備え、所定の通信エリア内で通信を行った端末装置４１−４５から送信されてきた通信エリア情報、集合体、識別情報および構成員情報を通信エリアの別にマニフェスト票に登録して通信エリアごとの集合体マニフェスト票情報を構成して集合体マニフェスト情報として管理し、通信エリアの所定の端末装置４１−４５からの要求を受けて集合体マニフェスト票情報を通信エリアの端末装置に送信する。
【００７７】
マニフェスト管理システムに使用される端末装置によるマニフェスト作成方法であって、処分ルート１２の所定の通信エリア内に配送され、無線タグが貼付された各蛍光ランプについて３次元走査可能な検出器３６を備えた端末装置４１−４５によって、検出器３６の３次元走査による各無線タグとの通信により、無線タグに予め記録されている蛍光ランプ２０についての識別情報が読み込まれ、無線タグとの通信によって入庫と出庫情報が生成され、通信エリア情報、集合体情報、集合体を形成する各蛍光ランプについての識別情報および当該集合体の一構成員であることを示す構成員情報が前記マニフェスト管理装置９０に送信される。
【図面の簡単な説明】
【００７８】
【図１】本発明の実施例の構成を示すブロック図。
【図２】無線タグの貼り付け方式を示す図。
【図３】蛍光ランプに貼付された無線タグによる識別方法を示す図。
【図４】本実施例に使用する端末装置の構成を示すブロック図。
【図５】３つの情報の関係を示す関連図。
【図６】各業者で保管される集合体マニフェスト票の保管状況を示す図。
【図７】トレーサビリティ管理装置の構成を示すブロック図。
【図８】マニフェスト管理の有する集合体マニフェスト票の作成、出力についての説明図。
【図９】端末装置における入力時操作フローを示すフローチャート図。
【図１０】端末装置における出力時操作フローを示すフローチャート図。
【図１１】トレーサビリティ管理装置の走査フローを示すフローチャート図。
【図１２】集合体マニフェストの保管状況を示す図。
【図１３】他の収納体の構成を示す図。
【符号の説明】
【００７９】
１…トレーサビリティ管理事業者（電子情報機器）、２…製造者、３…特約店、４…排出事業者、５…収集運搬事業者、６…処分業者、７…最終処分業者、２０…蛍光ランプ、２１…無線タグ、２５…収納体、３１…トレーサビリティ管理装置、３６…検出器、３７…読取装置、４０…通信エリア情報、４１−４５…端末装置、４８…情報格納手段、４９…印字指示手段、５０…通信手段、７１…処理手段、７３…集合体情報、識別情報、構成員情報の生成、７４…入庫および出庫情報の生成、７５…在庫情報の生成、７６…個有情報の生成、７７…生成情報のトレーサビリティ管理装置への送信、７８…トレーサビリティ管理装置からの出力受信、７９…集合体マニフェスト票、セット情報の生成、８０…集合体マニフェスト票、セット情報の出力指示、８１…在庫情報の出力指示、８２…印字装置、９０…マニフェスト管理装置、９１…入出力手段、９２…処理手段、９３…記憶手段、９４…各ルート業者種別および同種業者別集合体マニフェスト票情報の生成手段、９５…同種業者別および同業者関連の在庫票情報の生成手段、９６…トレーサビリティ管理利用料情報の生成手段、１００…トレーサビリティ管理システム。
【図１】
2008186182.tif 000003
【図２】
2008186182.tif 000004
【図３】
2008186182.tif 000005
【図４】
2008186182.tif 000006
【図５】
2008186182.tif 000007
【図６】
2008186182.tif 000008
【図７】
2008186182.tif 000009
【図８】
2008186182.tif 000010
【図９】
2008186182.tif 000011
【図１０】
2008186182.tif 000012
【図１１】
2008186182.tif 000013
【図１２】
2008186182.tif 000014
【図１３】
2008186182.tif 000015